(57)【要約】【課題】地震災害の際にテレビの転倒を防止できると共に、必要があればテレビを容易に移動させることができ、更に簡易かつ低コストで施工できるテレビ固定構造を提供する。【解決手段】本テレビ固定構造１は、テレビ３の上面及び左右側面に沿って配設される横テープ部材５と、前記テレビの上面及び後面に沿って配設される縦テープ部材６と、床面に固着され且つ前記横テープ部材及び前記縦テープ部材のそれぞれの下端側と連結・解除可能に連結される連結固着手段７と、を備えて構成される。前記テレビ３が支持台２に載置されていることが好ましい。【選択図】　図１
0003098298.tif 000002
【実用新案登録請求の範囲】
【請求項１】
テレビの上面及び左右側面に沿って配設される横テープ部材と、前記テレビの上面及び後面に沿って配設される縦テープ部材と、床面に固着され且つ前記横テープ部材及び前記縦テープ部材のそれぞれの下端側に連結・解除可能に連結される連結固着手段と、を備えることを特徴とするテレビ固定構造。
【請求項２】
前記テレビが支持台に載置されている請求項１記載のテレビ固定構造。
【請求項３】
前記横テープ部材の下端側が前記支持台の左右側面の外方に位置していると共に、前記縦テープ部材の下端側が前記支持台の後面の外方に位置している請求項２記載のテレビ固定構造。
【請求項４】
前記縦テープ部材の一端側と前記横テープ部材の長手方向の中間側とが連結されている請求項１乃至３のいずれか一項に記載のテレビ固定構造。
【請求項５】
前記縦テープ部材が、少なくとも前記テレビの上面の一部に接着手段により接着されている請求項１乃至４のいずれか一項に記載のテレビ固定構造。
【請求項６】
前記横テープ部材が、前記テレビの上面の中央部、上面と左右側面との角部、及び左右側面の下端部に接着手段により接着されている請求項１乃至５のいずれか一項に記載のテレビ固定構造。
【請求項７】
前記接着手段が両面接着テープである請求項５又は６に記載のテレビ固定構造。
【請求項８】
前記連結固着手段が、床面に固着手段により固着される複数の固着部材と、該固着部材のそれぞれの下面と床面との間に一端側が挟着される複数の連結テープ部材と、該連結テープ部材のそれぞれの他端側に設けられる複数の連結金具と、を有し、該連結金具には、前記横テープ部材及び前記縦テープ部材のそれぞれの下端側を挿通させる挿通穴が形成されていると共に、該挿通穴の周囲に前記横テープ部材及び前記縦テープ部材のそれぞれの下端側の表面に係止する歯形係止部が形成されている請求項１乃至７のいずれか一項に記載のテレビ固定構造。
【請求項９】
前記連結固着手段が、床面に固着手段により固着される１つの板部材と、該板部材に固着手段により固着される複数の固着部材と、該固着部材のそれぞれ下面と床面との間に一端部が挟着される複数の連結テープ部材と、該連結テープ部材のそれぞれの他端部に設けられる複数の連結金具と、を有し、該連結金具には、前記横テープ部材及び前記縦テープ部材のそれぞれの下端側を挿通させる挿通穴が形成されていると共に、該挿通穴の周囲に前記横テープ部材及び前記縦テープ部材のそれぞれの下端側の表面に係止する歯形係止部が形成されている請求項１乃至７のいずれか一項に記載のテレビ固定構造。
【請求項１０】
前記板部材を床面に固着するための前記固着手段が、壁面に近接した位置に設けられている請求項９記載のテレビ固定構造。
【請求項１１】
前記固着手段が釘である請求項８乃至１０のいずれか一項に記載のテレビ固定構造。
【請求項１２】
前記横テープ部材、前記縦テープ部材、及び前記連結テープ部材が軟質ビニールよりなる請求項８乃至１１のいずれか一項に記載のテレビ固定構造。
【請求項１３】
テレビの上面及び左右側面に沿って配設される横テープ部材と、前記テレビの上面及び後面に沿って配設される縦テープ部材と、床面に固着され且つ前記横テープ部材のそれぞれの下端側と連結・解除可能に連結される第１連結固着手段と、壁面に固着され且つ前記縦テープ部材の下端側と連結・解除可能に連結される第２連結固着手段と、を備えることを特徴とするテレビ固定構造。
【請求項１４】
テレビの上面に接着手段により接着され且つ前記テレビの上面で左右方向に延びる上側横テープ部材と、前記テレビの下面に接着手段により接着され且つ前記テレビの下面で左右方向に延びる下側横テープ部材と、前記上側横テープ部材及び前記下側横テープ部材のそれぞれの長手方向の中間側に連結され且つ前記テレビの上面、後面及び下面に沿って配設される縦テープ部材と、該縦テープ部材の長手方向の中間側に一端側が連結される連結テープ部材と、壁面に固着され且つ前記連結テープ部材の他端側に連結・解除可能に連結される連結固着手段と、を備えることを特徴とするテレビ固定構造。
【請求項１５】
前記連結固着手段が、前記連結テープ部材の他端側を表裏両面から挟持するためのテープ部材を有する請求項１４記載のテレビ固定構造。
【請求項１６】
前記接着手段が接着剤である請求項１４又は１５に記載のテレビ固定構造。
【請求項１７】
前記上側横テープ部材、前記下側横テープ部材、前記縦テープ部材、及び前記連結テープ部材が軟質ビニールよりなる請求項１４乃至１６のいずれか一項に記載のテレビ固定構造。
【考案の詳細な説明】
【０００１】
【考案の属する技術分野】
本考案は、テレビ固定構造に関し、更に詳しくは、地震災害の際にテレビの転倒を防止できると共に、必要があればテレビを容易に移動させることができ、更に簡易かつ低コストで施工できるテレビ固定構造に関する。
【０００２】
【従来の技術】
一般に、テレビは、床面に載置されたり、キャスタ付きの支持台に載置されたりしている。ところが、このようなテレビの載置方法では、地震災害によってテレビが転倒してしまい、テレビが損傷したり、人に危害を与えたりする恐れがあった。そこで、これを解決する従来のテレビ固定構造として、例えば、図１２に示すように、テレビの下面に接着剤を介して幅広のテープ部材を接着し、このテープ部材に連結テープの一端部を連結し、この連結テープの他端部を壁面に取着してなるものが提案されている。
【０００３】
しかし、上記従来のテレビ固定構造では、地震の揺れによって、テレビの後方にかかる引張り力に対しては強いが、テレビの前方にかかる引張り力に対しては弱い。従って、テレビに比較的大きな引張り力が繰返しかかると、テレビの下面からテープ部材が剥がれてしまい、テレビが転倒してしまう場合があった。
また、上記従来のテレビ固定構造では、掃除等のためにテレビを移動させたい場合、テレビの下面からテープ部材を剥がしてテレビを移動させ、その後、再び元の位置でテレビの下面に接着剤を介してテープ部材を接着する必要があり、煩雑なものであった。
【０００４】
尚、従来の家具固定構造として、壁素材の内部に予め取付け用線を埋設し、この壁部材に形成した凹状の取付け口を介して、家具に接着されたテープ部材を取付け用線に連結し、地震災害による家具の転倒防止をするようにした技術が知られている（例えば、特許文献１参照）。しかし、この技術では、施工が煩雑で高コストとなってしまう。また、この技術は、単純な直方体形状である家具の転倒防止には適しているが、様々な外観形状、材質（例えば、硬い材質、軟らかい材質等）からなるテレビの転倒防止には適していない。
【０００５】
【特許文献１】
実登録第３０４６８９３号公報
【０００６】
【考案が解決しようとする課題】
本考案は、上記の現状に鑑みてなされたものであり、地震災害の際にテレビの転倒を防止できると共に、必要があればテレビを容易に移動させることができ、更に、簡易かつ低コストで施工できるテレビ固定構造を提供することを目的とする。
【０００７】
【課題を解決するための手段】
本考案は、以下の通りである。
１．　テレビの上面及び左右側面に沿って配設される横テープ部材と、前記テレビの上面及び後面に沿って配設される縦テープ部材と、床面に固着され且つ前記横テープ部材及び前記縦テープ部材のそれぞれの下端側に連結・解除可能に連結される連結固着手段と、を備えることを特徴とするテレビ固定構造。
２．　前記テレビが支持台に載置されている上記１．記載のテレビ固定構造。
３．　前記横テープ部材の下端側が前記支持台の左右側面の外方に位置していると共に、前記縦テープ部材の下端側が前記支持台の後面の外方に位置している上記２．記載のテレビ固定構造。
４．　前記縦テープ部材の一端側と前記横テープ部材の長手方向の中間側とが連結されている上記１．乃至３．のいずれか一項に記載のテレビ固定構造。
５．　前記縦テープ部材が、少なくとも前記テレビの上面の一部に接着手段により接着されている上記１．乃至４．のいずれか一項に記載のテレビ固定構造。
６．　前記横テープ部材が、前記テレビの上面の中央部、上面と左右側面との角部、及び左右側面の下端部に接着手段により接着されている上記１．乃至５．のいずれか一項に記載のテレビ固定構造。
７．前記接着手段が両面接着テープである上記５．又は６．に記載のテレビ固定構造。
８．　前記連結固着手段が、床面に固着手段により固着される複数の固着部材と、該固着部材のそれぞれの下面と床面との間に一端側が挟着される複数の連結テープ部材と、該連結テープ部材のそれぞれの他端側に設けられる複数の連結金具と、を有し、該連結金具には、前記横テープ部材及び前記縦テープ部材のそれぞれの下端側を挿通させる挿通穴が形成されていると共に、該挿通穴の周囲に前記横テープ部材及び前記縦テープ部材のそれぞれの下端側の表面に係止する歯形係止部が形成されている上記１．乃至７．のいずれか一項に記載のテレビ固定構造。
９．　前記連結固着手段が、床面に固着手段により固着される１つの板部材と、該板部材に固着手段により固着される複数の固着部材と、該固着部材のそれぞれ下面と床面との間に一端部が挟着される複数の連結テープ部材と、該連結テープ部材のそれぞれの他端部に設けられる複数の連結金具と、を有し、該連結金具には、前記横テープ部材及び前記縦テープ部材のそれぞれの下端側を挿通させる挿通穴が形成されていると共に、該挿通穴の周囲に前記横テープ部材及び前記縦テープ部材のそれぞれの下端側の表面に係止する歯形係止部が形成されている上記１．乃至７．のいずれか一項に記載のテレビ固定構造。
１０．　前記板部材を床面に固着するための前記固着手段が、壁面に近接した位置に設けられている上記９．記載のテレビ固定構造。
１１．　前記固着手段が釘である上記８．乃至１０．のいずれか一項に記載のテレビ固定構造。
１２．　前記横テープ部材、前記縦テープ部材、及び前記連結テープ部材が軟質ビニールよりなる上記８．乃至１１．のいずれか一項に記載のテレビ固定構造。
１３．　テレビの上面及び左右側面に沿って配設される横テープ部材と、前記テレビの上面及び後面に沿って配設される縦テープ部材と、床面に固着され且つ前記横テープ部材のそれぞれの下端側と連結・解除可能に連結される第１連結固着手段と、壁面に固着され且つ前記縦テープ部材の下端側と連結・解除可能に連結される第２連結固着手段と、を備えることを特徴とするテレビ固定構造。
１４．　テレビの上面に接着手段により接着され且つ前記テレビの上面で左右方向に延びる上側横テープ部材と、前記テレビの下面に接着手段により接着され且つ前記テレビの下面で左右方向に延びる下側横テープ部材と、前記上側横テープ部材及び前記下側横テープ部材のそれぞれの長手方向の中間側に連結され且つ前記テレビの上面、後面及び下面に沿って配設される縦テープ部材と、該縦テープ部材の長手方向の中間側に一端側が連結される連結テープ部材と、壁面に固着され且つ前記連結テープ部材の他端側に連結・解除可能に連結される連結固着手段と、を備えることを特徴とするテレビ固定構造。
１５．　前記連結固着手段が、前記連結テープ部材の他端側を表裏両面から挟持するためのテープ部材を有する上記１４．記載のテレビ固定構造。
１６．　前記接着手段が接着剤である上記１４．又は１５．に記載のテレビ固定構造。
１７．　前記上側横テープ部材、前記下側横テープ部材、前記縦テープ部材、及び前記連結テープ部材が軟質ビニールよりなる上記１４．乃至１６．のいずれか一項に記載のテレビ固定構造。
【０００８】
【考案の効果】
本考案のテレビ固定構造によると、横テープ部材及び縦テープ部材によって、テレビの外周部が適度な張力で締め付けられ、如何なる外観形状、材質のテレビであっても床面の所定位置に強固に固定される。従って、地震災害の際には、横テープ部材及び縦テープ部材によって、テレビにかかる引張り力が均等に分散され、テレビの上面からの横テープ部材の剥がれを抑制でき、テレビの転倒をより確実に防止することができる。また、横テープ部材及び縦テープ部材と連結固着手段との連結を解除すれば、掃除等のためにテレビを一旦移動させ、その後、元の位置でそのテレビを容易に再固定することができる。さらに、床面や壁面等の大規模な改装を必要とせず、簡易かつ低コストで施工することができる。
また、テレビが支持台に載置支持されている場合は、テレビ及び支持台を床面に強固に固定できる。
また、前記横テープ部材の下端側が前記支持台の左右側面の外方に位置していると共に、前記縦テープ部材の下端側が前記支持台の後面の外方に位置している場合は、床面に近い高さでもって、横テープ部材及び縦テープ部材と連結固着手段との連結・解除操作を容易に行うことができる。
また、前記縦テープ部材の一端側と前記横テープ部材の長手方向の中間側とが連結されている場合は、テレビを床面に更に強固に固定することができる。
また、前記縦テープ部材が、少なくとも前記テレビの上面の一部に接着手段により接着されている場合は、テレビを床面に更に強固に固定することができる。
また、前記横テープ部材が、前記テレビの上面の中央部、上面と左右側面との角部、及び左右側面の下端部に接着手段により接着されている場合は、テレビを床面に更に強固に固定することができる。
また、前記接着手段が両面接着テープである場合は、テレビの上面に横テープ部材を容易に接着でき、施工性を向上させることができる。
また、前記連結固着手段が、複数の固着部材と、複数の連結テープ部材と、複数の連結金具とを有する場合は、横テープ部材及び縦テープ部材と連結固着手段との連結・解除操作をより容易・迅速に行うことができる。
また、前記連結固着手段が、１つの板部材と、複数の固着部材と、複数の連結テープ部材と、複数の連結金具とを有する場合は、固着手段による床面の穴あけ個数を必要最小限とすることができる。
また、前記板部材を床面に固着するための前記固着手段が、壁面に近接した位置に設けられている場合は、固着手段による床面の穴あけ箇所を壁際の比較的目立たない位置とすることができる。
また、前記固着手段が釘である場合は、施工性を向上させることができる。
さらに、前記横テープ部材、前記縦テープ部材、及び前記連結テープ部材が軟質ビニールよりなる場合は、安価でかつ高強度なテープ部材によって、テレビをより強固に固定できると共に、施工性をより向上させることができる。
【０００９】
本発明の他のテレビ固定構造によると、横テープ部材及び縦テープ部材によって、テレビの外周部が適度な張力で締め付けられ、如何なる外観形状、材質のテレビであっても床面の所定位置に強固に固定される。従って、地震災害の際には、横テープ部材及び縦テープ部材によって、テレビにかかる引張り力が均等に分散され、テレビの上面からの横テープ部材の剥がれを抑制でき、テレビの転倒をより確実に防止することができる。また、横テープ部材及び縦テープ部材と連結固着手段との連結を解除すれば、掃除等のためにテレビを一旦移動させ、その後、元の位置でそのテレビを容易に再固定することができる。さらに、床面や壁面等の大規模な改装を必要とせず、簡易かつ低コストで施工することができる。
【００１０】
本発明の他のテレビ固定構造によると、上側横テープ部材及び下側横テープ部材に連結され且つテレビの外周部に沿って配設される縦テープ部材が連結テープ部材を介して連結固着手段に連結され、如何なる外観形状、材質のテレビであっても床面の所定位置に強固に固定される。従って、地震災害の際には、上側横テープ部材、下側横テープ部材、及び縦テープ部材によって、テレビにかかる引張り力が均等に分散され、テレビの上面及び下面からの上側横テープ部材及び下側横テープ部材の剥がれを抑制でき、テレビの転倒をより確実に防止することができる。また、縦テープ部材と連結固着手段との連結を解除すれば、掃除等のためにテレビを一旦移動させ、その後、元の位置でテレビを容易に再固定することができる。さらに、床面や壁面等の大規模な改装を必要とせず、簡易かつ低コストで施工することができる。
また、前記連結固着手段が、前記連結テープ部材の他端部を表裏両面から挟持するためのテープ部材を有する場合は、連結テープ部材の下端部の連結・解除をより容易・迅速に行うことができる。
また、前記接着手段が接着剤である場合は、テレビの上面及び下面に横テープ部材をより強固に接着できる。
さらに、前記上側横テープ部材、前記下側横テープ部材、前記縦テープ部材、及び前記連結テープ部材が軟質ビニールよりなる場合は、安価でかつ高強度なテープ部材によってテレビをより強固に固定できると共に、施工性をより向上させることができる。
【００１１】
【考案の実施の形態】
以下、本考案を詳細に説明する。
（実施形態１）
本実施形態１に係るテレビ固定構造は、以下に述べる横テープ部材、縦テープ部材、及び連結固着手段を備えて構成される。
上記「テレビ」としては、例えば、ブラウン管、液晶、プラズマ等を用いるものを挙げることができる。このテレビとして、例えば、コンピュータで用いられる表示ディスプレイを適用することができる。また、このテレビの載置形態としては、例えば、床面に載置されている形態、床面にある支持台に載置されている形態等を挙げることができる。この支持台の構造、形状、大きさ等は特に問わない。この支持台は、例えば、下部側に移動用キャスタを有することができる。
【００１２】
上記「横テープ部材」は、テレビの上面及び左右側面に沿って配設される限り、その本数、材質、形状等は特に問わない。この横テープ部材は、例えば、前記テレビの上面の中央部、上面と左右側面との角部、及び左右側面の下端部の複数の箇所でテレビに後述の接着手段により接着されていることができる。また、強度性及び施工性といった観点から、この横テープ部材が軟質ビニールよりなることが好ましい。また、テレビが支持台に載置されている場合、この横テープ部材の下端側が支持台の左右側面の外方に位置していることが好ましい。この横テープ部材の下端側と後述する連結固着手段との連結・解除操作を床面に近い高さで容易に行うことができるためである。
【００１３】
上記「縦テープ部材」は、テレビの上面及び後面に沿って配設される限り、その本数、材質、形状等は特に問わない。この縦テープ部材は、例えば、少なくともテレビの上面の一部に後述の接着手段により接着されていることができる。また、この縦テープ部材は、例えば、その一端側が、上記横テープ部材の長手方向の中間側に連結されていることができる。この縦テープ部材の横テープ部材への連結形態としては、例えば、後述の接着手段により連結されている形態、留め材（例えば、ステープラ、糸等）により連結されている形態、熱処理等により連結されている形態、一体成形されて連結されている形態等を挙げることができる。強度性及び施工性といった観点から、この縦テープ部材が軟質ビニールよりなることが好ましい。また、テレビが支持台に載置されている場合、この縦テープ部材の下端側が支持台の後面の外方に位置していることが好ましい。縦テープ部材の下端側と後述する連結固着手段との連結・解除操作を連結床面に近い高さで容易に行うことができるためである。
【００１４】
上記「接着手段」としては、例えば、両面接着テープ、接着剤、面ファスナ、吸着具等を挙げることができる。本実施形態１に係るテレビ固定構造では、施工性といった観点から、接着手段が両面接着テープであることが特に好ましい。
【００１５】
上記「連結固着手段」は、床面に固着され且つ横テープ部材及び縦テープ部材のそれぞれの下端側に連結・解除可能に連結される限り、その構造、大きさ等は特に問わない。この連結固着手段としては、例えば、（１）横テープ部材及び縦テープ部材のそれぞれの下端側に連結・解除可能に連結する連結金具を有する形態、（２）横テープ部材及び縦テープ部材の下端部に設けた被連結金具に連結・解除可能に連結する連結金具を有する形態、（３）横テープ部材及び縦テープ部材の下端部に設けた連結金具に、一端側が連結・解除可能に連結する連結テープ部材を有する形態等を挙げることができる。
上記形態（１）では、例えば、横テープ部材及び縦テープ部材の下端側に形成した係止穴に、連結金具の係止片を係止させることができる。また、上記形態（２）では、例えば、上記連結金具及び被連結金具が、挿脱自在に装着される雌雄一対の金具であることができる。さらに、上記形態（３）では、例えば、上記連結金具の係止片が、上記連結テープ部材の一端側に形成した係止穴に係止させることができる。
ここで、上記形態（１）では、連結固着手段が、床面に固着手段により固着される複数の固着部材と、これら固着部材のそれぞれの下面と床面との間に一端側が挟着される複数の連結テープ部材と、これら連結テープ部材のそれぞれの他端側に設けられる複数の連結金具と、を有し、各連結金具には、横テープ部材及び縦テープ部材のそれぞれの下端側を挿通させた挿通穴が形成されていると共に、この挿通穴の周囲に横テープ部材及び縦テープ部材のそれぞれの下端側の表面に係止する歯形係止部が形成されていることが好ましい。さらに、連結固着手段が、床面に固着手段により固着される１つの板部材と、この板部材に固着手段により固着される複数の固着部材と、これら固着部材のそれぞれ下面と床面との間に一端部が挟着される複数の連結テープ部材と、これら連結テープ部材のそれぞれの他端部に設けられる複数の連結金具と、を有し、各連結金具には、横テープ部材及び縦テープ部材のそれぞれの下端側を挿通させた挿通穴が形成されていると共に、この挿通穴の周囲に横テープ部材及び縦テープ部材のそれぞれの下端側の表面に係止する歯形係止部が形成されていることが特に好ましい。
上記固着手段としては、例えば、釘、ネジ、リベット、クランプ具、接着剤等を挙げることができる。施工性といった観点から、この固着手段が釘であることが特に好ましい。また、強度性及び施工性といった観点から、上記連結テープ部材が軟質ビニールよりなることが好ましい。
【００１６】
（実施形態２）
本実施形態２に係るテレビ固定構造は、以下に述べる上側横テープ部材、下側横テープ部材、縦テープ部材、連結テープ部材、及び連結固着手段を備えて構成されている。
上記「テレビ」としては、例えば、ブラウン管、液晶、プラズマ等を用いるものを挙げることができる。また、このテレビとして、例えば、コンピュータで用いられる表示ディスプレイを適用することができる。
【００１７】
上記「上側横テープ部材」及び上記「下側横テープ部材」は、テレビの上面及び下面に接着手段により接着され且つ前記テレビの上面及び下面で左右方向に延びる限り、その本数、材質、形状等は特に問わない。強度性及び施工性といった観点から、この上側横テープ部材及び下側横テープ部材が軟質ビニールよりなることが好ましい。
【００１８】
上記「接着手段」としては、例えば、両面接着テープ、接着剤、面ファスナ、吸着具等を挙げることができる。本実施形態２に係るテレビ固定構造では、強度性といった観点から、接着手段が接着剤であることが特に好ましい。
【００１９】
上記「縦テープ部材」は、上側横テープ部材及び下側横テープ部材のそれぞれの長手方向の中間側に連結され且つ前記テレビの上面、後面及び下面に沿って配設される限り、その本数、材質、形状等は特に問わない。強度性及び施工性といった観点から、この縦テープ部材が軟質ビニールよりなることが好ましい。また、この縦テープ部材の横テープ部材への連結形態としては、例えば、上述の接着手段により連結されている形態、留め材（例えば、ステープラ、糸等）により連結されている形態、熱処理等により連結されている形態、一体成形されて連結されている形態等を挙げることができる。
【００２０】
上記「連結テープ部材」は、縦テープ部材の長手方向の中間側に一端部が連結される限り、その本数、材質、形状等は特に問わない。強度性及び施工性といった観点から、この連結テープ部材が軟質ビニールよりなることが好ましい。また、この連結テープ部材の縦テープ部材への連結形態としては、例えば、上述の接着手段により連結されている形態、留め材（例えば、ステープラ、糸等）により連結されている形態、熱処理等により連結されている形態、一体成形されて連結されている形態等を挙げることができる。
【００２１】
上記「連結固着手段」は、壁面に固着され且つ前記連結テープ部材の他端部に連結・解除可能に連結される限り、その構造、大きさ等は特に問わない。この連結固着手段は、例えば、連結テープ部材の他端側を表裏両面から挟持するためのテープ部材を有することができる。このテープ部材は、例えば、面ファスナより構成されることができる。
【００２２】
【実施例】
以下、本発明を実施例により図面を用いて詳細に説明する。
（実施例１）
本実施例１に係るテレビ固定構造１は、図１〜３に示すように、キャスタ付きの支持台２に載置支持されるテレビ３の上面に、幅広薄肉（横幅：３８ｍｍ、厚さ：２ｍｍ）の軟質ビニールからなる横テープ部材５及び縦テープ部材６を一本ずつ接着して構成される。これら横テープ部材５及び縦テープ部材６の夫々の下端側が連結固着手段７に連結・解除可能に連結されている。また、この横テープ部材５は、テレビ３の上面及び左右側面に沿って配設され、その下端側が支持台２の左右側面の外方に位置している。また、この横テープ部材５は、テレビ３の上面の中央部３ａ、上面と左右側面との角部３ｂ、左右側面の下端部３ｃに両面接着テープ８（図５参照）を介して接着されている。
【００２３】
上記縦テープ部材６は、テレビ３の上面及び後面に沿って配設され、その下端側が支持台２の後面の外方に位置している。また、この縦テープ部材６は、テレビ３の上面の中央部３ａに両面接着テープ８（図５参照）を介して接着されている。また、この縦テープ部材６の一端側と横テープ部材５の長手方向の中央側とは、テレビ３の上面において接着剤等を介して重ね合わされて連結されている。
【００２４】
上記連結固着手段７は、２本の釘９により床面Ｆに固着される３枚のベニヤ板製の固着部材１０を有している。これらの固着部材１０の夫々の下面と床面Ｆとの間には、幅広薄肉（横幅：３８ｍｍ、厚さ：２ｍｍ）の軟質ビニールよりなる連結テープ部材１１の一端部が挟持されている。この連結テープ部材１１の他端側は、図７、８に示すように、連結金具１３に形成された連結穴１６ａに挿通されると共に、縫い合わされて環状に形成されている。この連結金具１３には、横テープ部材５及び縦テープ部材６のそれぞれの下端側が挿通可能な２つの挿通穴１６ｂが形成されている。また、この連結金具１３には各挿通穴１６ｂの周囲の所定位置に、横テープ部材５及び縦テープ部材６の表面に摩擦係止する歯形係止部１７（例えば、ぎざぎざ部等）が形成されている。従って、横テープ部材５及び縦テープ部材６の下端側を、連結金具１３の挿通穴１６ｂに挿通して長さ調節して歯形係止部１７により表面を係止すれば、横テープ部材５及び縦テープ部材６によって、テレビ３及び支持台２は、適当なテンションが与えられつつ、床面Ｆの所定位置に固着されるようになっている。
【００２５】
ここで、連結固着手段のその他の形態について説明するが、上記連結固着手段７と同じ構成部には同符号を付けて詳細な説明は省略する。図６に示すように、連結固着手段７Ａは、複数の釘９により床面Ｆに固着される１枚のベニヤ板製の板部材１４を有している。この板部材１４は、支持台２の下面全域とほぼ対向する大きさに設定されている。また、この板部材１４には、２本の釘９を介して３枚の固着部材１０と共に３本の連結テープ部材１１が固着されている。そして、各連結テープ部材１１の他端部には連結金具１３が設けられている。このように構成される連結固着手段７Ａによると、床面Ｆにあけられる釘穴の個数を必要最小限にでき、その釘穴を壁面Ｆに近接した目立たない位置とすることができる。
【００２６】
次に、テレビ３の固定作業について説明する。先ず、図４に示すように、テレビ３及び支持台２の固定すべき位置を確定し、その確定位置からテレビ３及び支持台２を移動させる。次に、その確定位置に対応して固着部材１０及び連結テープ部材１１の一端部を位置決めし、この固着部材１０及び連結テープ部材１１の一端部に釘９を打ち込んで、連結固着手段７を床面Ｆに固着する。次いで、図５に示すように、テレビ３及び支持台２を元の位置に戻して、このテレビ３の外周面に、予め貼着された長さ１０ｃｍ程度の両面接着テープ８を介して、横テープ部材５及び縦テープ部材６を適当なテンションを与えながら接着する。その後、１０分程度経過してから、横テープ部材５及び縦テープ部材６の夫々の下端側を、連結金具１３の挿通穴１６ｂに挿通して両者を連結し（図１参照）、一連の固定作業が終了される。
【００２７】
以上より、本実施例１では、テレビ３及び支持台２の外周部に沿って配設される横テープ部材５及び縦テープ部材６のそれぞれの下端側と連結固着手段７とを連結・解除可能に連結するようにしたので、横テープ部材５及び縦テープ部材６によって、テレビ３及び支持台２の外周部が適度な張力で締め付けられ、如何なる外観形状、材質のテレビ及び支持台であっても床面Ｆの所定位置に強固に固定できる。従って、地震災害の際には、横テープ部材５及び縦テープ部材６によって、テレビ３及び支持台２にかかる引張り力が均等に分散され、テレビ３の上面からの横テープ部材５の剥がれを抑制でき、テレビ３及び支持台２の転倒をより確実に防止することができる。また、横テープ部材５及び縦テープ部材６と連結固着手段７との連結を容易に解除でき、掃除等のためにテレビ３を一旦移動させた後、元の位置に戻されるテレビ３及び支持台２を容易に再固定することができる。さらに、床面Ｆや壁面Ｗ等の大規模な改装を必要とせず、簡易かつ低コストで施工することができる。
【００２８】
また、本実施例１では、横テープ部材５及び縦テープ部材６の夫々の下端側を、支持台２の外周面の外方に位置させているので、床面Ｆに近い高さでもって、連結固着手段７の連結・解除操作を簡易に行うことができる。
また、本実施例１では、横テープ部材５の長手方向の中央側と縦テープ部材６の一端側とを連結すると共に、横テープ部材５を、テレビ３の上面の中央部３ａ、角部３ｂ、下端部３ｃにて接着するようにしたので、テレビ３及び支持台２を更に強固に固定することができる。
また、本実施例１では、両面接着テープ８を介して横テープ部材５及び縦テープ部材６をテレビ３の外周面に接着するようにしたので、その接着作業を簡易・迅速に行うことができる。
また、本実施例１では、釘９を介して連結固着手段７を床面Ｆに固着するようにしたので、その固着作業を簡易・迅速に行うことができる。
また、本実施例１では、幅広薄肉の軟質ビニールよりなる横テープ部材５、縦テープ部材６、及び連結テープ部材１１を使用しているので、テレビ３及び支持台２をより強固に固定できると共に、施工性をより向上させることができる。
さらに、本実施例１では、挿通穴１６ｂ及び歯形係止部１７を形成してなる連結金具１３を用いて連結固着手段７（７Ａ）を構成しているので、安価でかつ施工性を向上させたテレビ固定構造を提供できる。
【００２９】
（実施例２）
本実施例２に係るテレビ固定構造２０は、図９、１０に示すように、テレビ２１の上面及び下面に、接着剤を介して左右方向に延びる２本ずつの幅広薄肉（横幅：３８ｍｍ、厚さ：２ｍｍ）の軟質ビニールよりなる上側横テープ部材２２及び下側横テープ部材２３を接着して構成される。これらのうち対応する上側横テープ部材２２及び下側横テープ部材２３の長手方向の中央部には、テレビ２１の外周部に沿って配設される幅広薄肉（横幅：３８ｍｍ、厚さ：２ｍｍ）の軟質ビニールよりなる縦テープ部材２４の両端部が接着剤等を介して連結されている。この縦テープ部材２４の長手方向の中央部には、水平方向に延びる幅広薄肉（横幅：３８ｍｍ、厚さ：２ｍｍ）の軟質ビニールよりなる連結テープ部材２５の一端部が連結されている。この連結テープ部材２５の他端部と対向する壁面Ｆの所定位置には、連結固着手段２７が固着されている。
【００３０】
この連結固着手段２７は、図１１に示すように、接着剤等を介して壁面Ｆに固着される上下一対の支持部材２８を有している。これら支持部材２８の夫々の対向面には、連結テープ部材２５の他端部を表裏面から挟持・解除するための雄側のテープ部材２９が設けられている。これら雄側のテープ部材２９は、連結テープ部材２５の他端部に設けられた雌側のテープ部材３０に着脱自在に連結される。
【００３１】
以上より、本実施例２では、上側横テープ部材２２及び下側横テープ部材２３に連結され且つテレビ２１の外周部に沿って配設される縦テープ部材２４と連結固着手段２７とを連結テープ部材２５を介して連結・解除可能に連結するようにしたので、如何なる外観形状、材質のテレビであっても床面Ｆの所定位置に強固に固定できる。従って、地震災害の際には、上側横テープ部材２２、下側横テープ部材２３、及び縦テープ部材２４によって、テレビ２１にかかる引張り力が均等に分散され、テレビ２１の上面及び下面からの上側及び下側横テープ部材２２、２３の剥がれを抑制でき、テレビ２１の転倒をより確実に防止することができる。また、縦テープ部材２４と連結固着手段２７との連結を容易に解除でき、掃除等のためにテレビ２１を一旦移動させ、その後、元の位置に戻されるテレビ２１を容易に再固定することができる。さらに、床面Ｆや壁面Ｗ等の大規模な改装を必要とせず、簡易かつ低コストで施工することができる。
【００３２】
また、本実施例２では、連結固着手段２７が、連結テープ部材２５の他端部を表裏両面から挟持するためのテープ部材２９を有するので、連結テープ部材２５の下端部の連結・解除をより容易・迅速に行うことができる。
また、本実施例２では、上側横テープ部材２２及び下側横テープ部材２３が接着剤によりテレビ２１の上面及び下面に接着されるので、テレビ２１の上面及び下面に横テープ部材２２、２３をより強固に接着できる。
さらに、本実施例２では、幅広薄肉の軟質ビニールよりなる上側横テープ部材２２、下側横テープ部材２３、縦テープ部材２４、及び連結テープ部材２５を使用しているので、安価でかつ高強度なテープ部材によってテレビをより強固に固定できると共に、施工性をより向上させることができる。
【００３３】
尚、本考案においては、上記実施例１、２に限られず、目的、用途に応じて本考案の範囲内で種々変更した実施例とすることができる。例えば、上記実施例１では、支持台２に載置されたテレビ３の固定構造を例示したが、これに限定されず、床面に直接的に載置されるテレビの固定構造としてもよい。
また、上記実施例１では、テレビ３の上面で横テープ部材５と縦テープ部材６とを連結するようにしたが、これに限定されず、例えば、テレビの上面で横テープ部材と縦テープ部材とを連結させないようにしてもよい。
また、上記実施例１では、テレビ３の中央部３ａ、角部３ｂ、及び下端部３ｃで横テープ部材５を接着するようにしたが、これに限定されず、例えば、中央部３ａのみで接着させたり、横テープ部材５と接触するテレビの外周面の全域で接着させたりしてもよい。
また、上記実施例１では、連結固着手段７（７Ａ）を構成する連結金具１３と、横テープ部材５及び縦テープ部材６の下端側とを連結させるようにしたが、これに限定されず、例えば、連結固着手段を構成する連結金具と、横テープ部材５及び縦テープ部材６の下端側に設けた被連結金具とを連結させるようにしてもよい。
さらに、上記実施例１において、実施例２の連結固着手段２７を介して、縦テープ部材５の下端側を壁面に固着させるようにしてもよい。
【図面の簡単な説明】
【図１】実施例１に係るテレビ固定構造を説明するための斜視図である。
【図２】テレビ固定構造を説明するための正面図である。
【図３】図２のＩＩＩ矢視図である。
【図４】テレビの固定方法を説明するための斜視図である。
【図５】テレビの固定方法を説明するための斜視図である。
【図６】連結固着手段のその他の態様を説明するための側面図である。
【図７】連結金具の正面図である。
【図８】図７のＶＩＩＩ−ＶＩＩＩ矢視断面図である。
【図９】実施例２に係るテレビ固定構造を説明するための斜視図である。
【図１０】テレビ固定構造を説明するための側面図である。
【図１１】図８の要部拡大図である。
【図１２】従来のテレビ固定構造を説明するための側面図である。
【符号の説明】
１，２０；テレビ固定構造、２；支持台、３，２１；テレビ、３ａ；中央部、３ｂ；角部、３ｃ；下端部、５；横テープ部材、６；縦テープ部材、７，７Ａ；連結固着手段、８；両面接着テープ、９；釘、１０；固着部材、１１；連結テープ部材、１３；連結金具、１４；板部材、１６ｂ；挿通穴、１７；歯形係止部、２２；上側横テープ部材、２３；下側横テープ部材、２４；縦テープ部材、２５；連結テープ部材、２７；連結固着手段、２９；テープ部材、Ｆ；床面、Ｗ；壁面。
【図１】
0003098298.tif 000003
【図２】
0003098298.tif 000004
【図３】
0003098298.tif 000005
【図４】
0003098298.tif 000006
【図５】
0003098298.tif 000007
【図６】
0003098298.tif 000008
【図７】
0003098298.tif 000009
【図８】
0003098298.tif 000010
【図９】
0003098298.tif 000011
【図１０】
0003098298.tif 000012
【図１１】
0003098298.tif 000013
【図１２】
0003098298.tif 000014